(57)【要約】【課題】既存のＲＣ構造物の上向きに開けた削孔に、せん断補強筋等の棒部材を上向きに挿入する場合において、棒部材の落下を防止することで、従来の落下防止治具等の準備や施工を不要にして、工期短縮・コスト削減を可能にする。【解決手段】ＲＣ構造物の上向きに開けた削孔Ｈに棒部材１を上向きに挿入する場合において、棒部材１の周囲に、その先端部側から後端部側に向けて延びる針部材３を複数本設け、削孔Ｈに棒部材１を上向きに挿入して、削孔Ｈ面に棒部材１周囲の針部材３を食い込ませる。具体的には、針部材３を、棒部材１の先端部と後端部の周囲にそれぞれ設ける。そして、針部材３を、棒部材１への装着具４の周囲に３本以上設ける。【選択図】図３
2016183501.tif 000002
【特許請求の範囲】
【請求項１】
鉄筋コンクリート構造物の上向きに開けた削孔に棒部材を上向きに挿入する場合において、
前記棒部材の周囲に、その先端部側から後端部側に向けて延びる針部材を複数本設け、
前記削孔に前記棒部材を上向きに挿入して、前記削孔面に前記棒部材周囲の前記針部材を食い込ませることを特徴とする棒部材の上向き固定方法。
【請求項２】
前記針部材を、前記棒部材の先端部と後端部の周囲にそれぞれ設けることを特徴とする請求項１に記載の棒部材の上向き固定方法。
【請求項３】
前記針部材を、前記棒部材への装着具の周囲に３本以上設けることを特徴とする請求項１または２に記載の棒部材の上向き固定方法。
【発明の詳細な説明】
【技術分野】
【０００１】
本発明は、既存の鉄筋コンクリート（ＲＣ）構造物の上向きに開けた削孔に対し、上向きにせん断補強筋等の棒部材を挿入して固定する方法に関する。
【背景技術】
【０００２】
既存のＲＣ構造物の壁面に開けた削孔に、せん断補強筋等の鋼材を挿入し、グラウトや接着剤等の充填材を注入して、鋼材を定着させる構造がある（例えば特許文献１、２参照）。
【０００３】
また、既存のＲＣ構造物の上向きに空けた削孔、例えば天井面に開けた削孔に対し、後施工型せん断補強筋を上向きに施工する場合、せん断補強筋を挿入してその鉄筋が落ちないように固定する。その後、グラウトを注入して固化した後、表面を仕上げる。
なお、グラウトを注入後にせん断補強筋を挿入し、鉄筋が落ちてこないように固定する順番によっても施工が行われている。
【０００４】
具体的には、例えば以下の順序で施工する。
１）グラウトの充填
すなわち、例えば既存のＲＣ構造物の天井面等に上向きに開けた削孔に対し、下から注入ホースのノズル先端を孔底まで挿入し、削孔先端から先にグラウトを注入して充填する。
２）補強用鉄筋の挿入
グラウトが充填された削孔内に下から上向きに補強用鉄筋を挿入する。
３）補強用鉄筋の固定
挿入した鉄筋が落下しないように、グラウトが硬化するまで楔等の治具による落下防止措置を施す。
４）仕上げ
グラウトが硬化した後、落下防止治具を取り外して、削孔開口端に再度グラウトを詰めて、表面仕上げを行う。
なお、グラウトとせん断補強筋の挿入順序は、その現場に応じて最適なものが採用されている。
【０００５】
以上、可塑性グラウトを用いるため、せん断補強の向きに関わらず削孔した穴からグラウトが漏れ出ることは無い。
【先行技術文献】
【特許文献】
【０００６】
【特許文献１】特開２０１１−１４０７９５号公報
【特許文献２】特開２０１１−１４０７９６号公報
【発明の概要】
【発明が解決しようとする課題】
【０００７】
しかし、上向きにせん断補強筋を挿入して固定する際、せん断補強筋は重量が大きいため、可塑性グラウトの性能のみで鉄筋を孔内に保持することができず、前述したとおり、別途落下防止治具を用いて機械的な固定を行わなければならなかった。
【０００８】
本発明の課題は、既存のＲＣ構造物の上向きに開けた削孔に、せん断補強筋等の棒部材を上向きに挿入する場合において、棒部材の落下を防止することで、従来の落下防止治具等の準備や施工を不要にして、工期短縮・コスト削減を可能にすることである。
【課題を解決するための手段】
【０００９】
以上の課題を解決するため、請求項１に記載の発明は、
ＲＣ構造物の上向きに開けた削孔に棒部材を上向きに挿入する場合において、
前記棒部材の周囲に、その先端部側から後端部側に向けて延びる針部材を複数本設け、
前記削孔に前記棒部材を上向きに挿入して、前記削孔面に前記棒部材周囲の前記針部材を食い込ませる、棒部材の上向き固定方法を特徴とする。
【００１０】
請求項２に記載の発明は、
請求項１に記載の棒部材の上向き固定方法であって、
前記針部材を、前記棒部材の先端部と後端部の周囲にそれぞれ設けることを特徴とする。
【００１１】
請求項３に記載の発明は、
請求項１または２に記載の棒部材の上向き固定方法であって、
前記針部材を、前記棒部材への装着具の周囲に３本以上設けることを特徴とする。
【発明の効果】
【００１２】
本発明によれば、既存のＲＣ構造物の天井面に開けた削孔に棒部材を上向きに挿入する場合において、棒部材の落下を防止することができるため、従来の落下防止治具等の準備や施工を不要にして、工期短縮・コスト削減を可能にすることができる。
【図面の簡単な説明】
【００１３】
【図１】本発明を適用した棒部材の一実施形態の構成を示す概略斜視図である。
【図２】図１の針部材の拡大図である。
【図３】既存のＲＣ構造物の天井面に開けた削孔に棒部材を上向きに挿入固定した状態を示す縦断面図である。
【発明を実施するための形態】
【００１４】
以下、図を参照して本発明を実施するための形態を詳細に説明する。
（実施形態）
図１は本発明を適用した棒部材の一実施形態の概略構成を示すもので、１はせん断補強筋（棒部材）、２はナット部材（定着具）、３は針部材、４はリング部材（装着具）である。
【００１５】
図示のように、棒部材であるせん断補強筋１は、その上下両端部に形成されたネジ部に定着具であるナット部材２をそれぞれ締め付け固定して構成されている。
そして、せん断補強筋１の上下両端部には、ナット部材２との間において、金属製または樹脂製の針部材３が装着具であるリング部材４を介してそれぞれ取り付けられている。
【００１６】
図２は針部材３及びリング部材４を拡大したもので、先端部側から外側に屈曲して後端部側に向けて針先が延びる形状に形成されていて、リング部材４の周囲に３本以上（図示例では円周方向に等間隔で７本）が一体化して設けられている。
このように、針部材３を周囲に備えるリング状部材４が、図１に示したように、せん断補強筋１の上下両端部にナット部材２との間に各々挟み込んで取り付けられている。
【００１７】
図３は既存のＲＣ構造物の天井面に開けた削孔Ｈにせん断補強筋１を上向きに挿入固定した状態を示すもので、図示のように、ＲＣ構造物天井面の削孔Ｈにせん断補強筋１を上向きに挿入すると、そのせん断補強筋１の自重によって、削孔Ｈの壁面に対し、せん断補強筋１の上下両端部周囲に設けた３本以上の針部材３の針先がそれぞれ食い込んで、削孔Ｈ内にせん断補強筋１が安定した仮固定状態になる。
この場合、先行して削孔Ｈにグラウトを充填しておくことで、そのグラウトの硬化により削孔Ｈ内にせん断補強筋１が固定状態となる。
【００１８】
以上のように、挿入するせん断補強筋１に向きを合わせた針部材３を予め取り付けておくことにより、ＲＣ構造物天井面の削孔Ｈへの挿入時にはスムーズに挿入でき、鉄筋の脱落方向には針部材３により仮固定される。
すなわち、針部材３が根本付近で一体化されたリング部材４をせん断補強筋１に固定することで、挿入方向には、針部材３の弾性変形を伴ってスムーズに入る一方、抜け出し方向には、針部材３の弾発力によりその針先が削孔Ｈの壁面に圧接して、せん断補強筋１の自重により針部材３の針先が削孔Ｈの壁面に食い込む。
これによって、ＲＣ構造物天井面の削孔Ｈ内のグラウトの固化を待たずにせん断補強筋１を仮固定できるため、従来の鉄筋落下防止治具等の準備や施工が削減され、工期短縮・コスト削減が可能となる。
【００１９】
以上、実施形態のせん断補強筋１の上向き固定によれば、ＲＣ構造物の天井面に開けた削孔Ｈにせん断補強筋１を上向きに挿入する場合において、せん断補強筋１の周囲に、その先端部側から後端部側に向けて延びる針部材３を３本以上設け、削孔Ｈにせん断補強筋１を上向きに挿入して、削孔Ｈ面にせん断補強筋１周囲の針部材３を食い込ませる。
【００２０】
従って、既存のＲＣ構造物の天井面に開けた削孔Ｈにせん断補強筋１を上向きに挿入して、そのせん断補強筋１の落下を針部材３により防止することができるため、従来の落下防止治具等の準備や施工を不要にして、工期短縮・コスト削減を可能にすることができる。
【００２１】
（変形例）
以上の実施形態においては、せん断補強筋としたが、本発明はこれに限定されるものではなく、アンカー等の棒部材であってもよく、端部にナット等の定着具を取り付けていない鉄筋単体であってもよい。
また、実施形態では、天井面に開けた削孔としたが、梁に開けた削孔でもよく、要はＲＣ構造物の上向きにあけた削孔であればよい。
さらに、棒部材及び針部材の形状、針部材の本数等も任意であり、その他、具体的な細部構造等についても適宜に変更可能であることは勿論である。例えば、リング部材を欠円状にして、その欠円状のリング部材をクリップ等のように治具を用いて棒部材の周囲に装着するようにしてもよく、装着具の形状も任意である。
【符号の説明】
【００２２】
１  せん断補強筋（棒部材）
２  ナット部材（定着具）
３  針部材
４  リング部材（装着具）
Ｈ  削孔
【図１】
2016183501.tif 000003
【図２】
2016183501.tif 000004
【図３】
2016183501.tif 000005